【事件の表示】
　特許第３０６２０８９号「磁気ヘッド及びそれを用いた磁気ディスク装置」の請求項１ないし３に係る特許に対する特許異議の申立てについて、次のとおり決定する。
【結　論】
　訂正を認める。
　特許第３０６２０８９号の請求項１ないし３に係る特許を取り消す。
【理　由】
Ａ、手続きの経緯
　本件特許第３０６２０８９号の発明は、平成８年７月１７日に出願され、平成１２年４月２８日に設定登録され、その後、特許異議の申し立てがあり、当審において取消理由通知をしたところ、その指定期間内である平成１３年６月６日に訂正請求がなされたものである。
Ｂ、訂正の適否
１：訂正明細書の請求項に係る発明
　訂正明細書の請求項に係る発明は、その特許請求の範囲に記載された次の事項により特定されるとおりのものである。
「【請求項１】記録媒体の記録面と対向する空気ベアリング面を有し、前記空気ベアリング面は空気流入端近傍がテーパ面となっており空気流出端近傍が平坦面となっている磁気ヘッドであって、前記空気ベアリング面の空気流出端における前記平坦面の外周の２辺の交わる角が、所定曲率半径をもって切り落とされることにより、ヘッドのロールや反りによる浮上量低下を防止することを特徴とする磁気ヘッド。（以下、「本件訂正発明１」という。）
【請求頃２】記録媒体の記録面と対向する空気ベアリング面を有し、前記空気ベアリング面は空気流入端近傍がテーパ面となっており空気流出端近傍が平坦面となっている磁気ヘッドであって、前記空気ベアリング面の空気流出端における前記平坦面の外周の２辺の交わる角が鈍角であり、更にこの鈍角部の一部が所定曲率半径をもって切り落とされていることにより、ヘッドのロールや反りによる浮上量低下を防止することを特徴とする磁気ヘッド。（以下、「本件訂正発明２」という。）
【請求項３】請求項１または２記載の磁気ヘッドを搭載してなることを特徴とする磁気ディスク装置。」（以下、「本件訂正発明３」という。）
２：訂正の適否
　上記訂正明細書にかかる訂正は、請求項１及び２の減縮を目的とするもので、又、上記訂正は願書に添付した明細書及び図面に記載した事項の範囲内の訂正であり、実質的に特許請求の範囲を拡張又は変更するものでないので、この訂正を認める。
Ｃ、当審の取消理由通知
１：引用刊行物記載の発明
当審の取消理由で引用した、特開昭７−１６１１６２号公報は磁気ヘッドスライダに関する発明で、図１〜１１（特に図１・２・３・９）と、明細書に以下の記載がある。
（１）：【請求項１】磁気記録媒体に対向する面に、該磁気記録媒体の回転によって生じる空気流の方向に沿った少なくとも２本の浮上力発生用のレール（１１，１２）が形成された磁気ヘッドスライダであって、前記レール（１１，１２）間の溝（１３）を浅く形成し、且つ該溝（１３）の少なくとも一部に、空気の流入側から流出側に向かって見た際に溝幅が拡がる溝幅拡張部（１３ａ）を設けることにより、該溝（１３）に、磁気ヘッドスライダを前記磁気記録媒体側に吸引する負圧を発生させる磁気ヘッドスライダにおいて、
　前記レール（１１，１２）の浮上面の空気流入側部分に傾斜角度が３゜以下で、空気流の方向の長さが５０μｍ以上の傾斜面（１１ａ、１２ａ）を設けたことを特徴とする磁気ヘッドスライダ。（以下、刊行物記載発明１という）
（２）：【請求項３】磁気記録媒体に対向する面に、該磁気記録媒体の回転によって生じる空気流の方向に沿った少なくとも２本の浮上力発生用のレール（１１，１２）が形成された磁気ヘッドスライダにおいて、
　前記レール（１１，１２）の浮上面の空気流出側外縁のエッジ部に、空気流の方向の長さが６μｍ以上で、深さが０．２７μｍ以上の面取りを施したことを特徴とする磁気ヘッドスライダ。（以下、刊行物記載発明２という）
【請求項４】前記レール（１１，１２）の浮上面の空気流出側角部に丸みを持たせたことを特徴とする請求項３記載の磁気ヘッドスライダ。（以下、刊行物記載発明３という）
（３）：【００３８】図９は、請求項３に記載の発明の一実施例を示す斜視図である。この実施例の磁気ヘッドスライダは、図４に示した実施例と多くの部分で共通している。そこで、図４と共通する部分には同一符号を付して、その説明は省略する。
（４）：【００３９】図９における構成の特徴は、レール２１．２２，２４の浮上面の空気流出側外縁のエッジ部に、図３にて示したものと同様な面取りを施した点にある。但し、本実施例では、レール２１，２２，２４の浮上面の空気流出側角部（平面的形状における角部）２１ｃ、２２ｃ、２４ｃに丸みを持たせた後に、面取りを行うことで、面取り部２１ｄ、２２ｄ、２４ｄを形成している。
（５）：【００４０】・・・略・・・面取り部２１ｄ、２２ｄ、２４ｄを形成すると、鋭角なエッジ部が磁気ディスクに衝突することがなくなり、耐衝撃性を高めることができる。
（６）：【００４１】図１０はレールの浮上面の空気流出側外縁のエッジ部に施す面取りにより、耐衝撃性がどのように変化したかを示す実験データである。・・・略・・・図９の構成のようにレールの浮上面の空気流出側角部に丸みをもたせ且つ面取りを施すと、耐衝撃性は一層向上する。
（７）：【００４４】以上説明したように、請求項１に記載の発明によれば、傾斜面が、傾斜角度θが３°以下で、空気流の方向の長さａが５０μｍ以上になるように形成したので、塵埃が付着しても浮上量の低下は無視し得るほど小さい。このため、低浮上量でありながら浮上量の安定性が良好な磁気ヘッドスライダを実現できる。
（８）：【００４５】請求項３に記載の発明によれば、・・・中略・・・面取りを浮上高さが小さい空気流出側外縁のエッジ部に施したので、鋭角なエッジ部が磁気記録媒体に衝突することがなくなり、耐衝撃性が高い磁気ヘッドスライダを実現できる。
２：対比・判断
　本件訂正発明１〜３と上記刊行物に記載の発明とを対比する。
（１）本件訂正発明１について
イ：対比
　本件訂正発明１は上述したとおり「記録媒体の記録面と対向する空気ベアリング面を有し、前記空気ベアリング面は空気流入端近傍がテーパ面となっており空気流出端近傍が平坦面となっている磁気ヘッドであって、前記空気ベアリング面の空気流出端における前記平坦面の外周の２辺の交わる角が、所定曲率半径をもって切り落とされることにより、ヘッドのロールや反りによる浮上量低下を防止することを特徴とする磁気ヘッド。」である。
　一方、刊行物の請求項１及び図１には、
　磁気記録媒体に対向する面に、該磁気記録媒体の回転によって生じる空気流の方向に沿った少なくとも２本の浮上力発生用のレール（１１，１２）が形成された磁気ヘッドスライダであって、
　前記レール（１１，１２）の浮上面の空気流入側部分に傾斜面（１１ａ、１２ａ）を設けた
　磁気ヘッドスライダ
の発明が開示されているものと認められる。
　そこで、両発明を対比すると、本件訂正発明１の「記録媒体の記録面と対向する空気ベアリング面」・「前記空気ベアリング面は空気流入端近傍がテーパ面となっており」・「磁気ヘッド」と、刊行物の請求項１及び図１に記載の発明の「磁気記録媒体に対向する面に、該磁気記録媒体の回転によって生じる空気流の方向に沿った少なくとも２本の浮上力発生用のレール（１１，１２）が形成された」・「前記レール（１１，１２）の浮上面の空気流入側部分に傾斜面（１１ａ、１２ａ）を設け」・「磁気ヘッドスライダ」とは対応する構成であると認める。
　したがって、本件訂正発明１の発明と刊行物の請求項１及び図１の発明とでは、共に、
　
　記録媒体の記録面と対向する空気ベアリング面を有し、前記空気ベアリング面は空気流入端近傍がテーパ面となっており空気流出端近傍が平坦面となっている磁気ヘッド
　
では発明の構成が一致しているものの、刊行物には、本件訂正発明１に記載される発明の「前記空気ベアリング面の空気流出端における前記平坦面の外周の２辺の交わる角が、所定曲率半径をもって切り落とされることにより、ヘッドのロールや反りによる浮上量低下を防止する」点が記載されていない、又、これにより「ヘッドのロールや反りによる浮上量低下を防止する」という本件訂正発明１の作用・効果が、刊行物には明記がない点で相違（以下、相違点１という）するものと認める。
ロ：相違点１に対する検討
　本件訂正発明１のこの相違点についての作用・効果をみると、本件訂正明細書【００１９】には「本発明の作用を述べる。ＡＢＳの吸気流出端の角（カド）部を直線又は曲線（アール状）で切り落とした形状として、当該角部を鋭角でなく鈍角状にすることにより、最低浮上位置となる当該角部をより媒体へ近づけることができ、又高速シークや衝撃により浮上量が低下しても、媒体と当該角部との接触がソフトタッチとなり、クラッシュを防止できる。」との記載があり【００２５】【００２９】【００３０】にもほぼ同様の記載がある。
　一方、刊行物の請求項３・４および図９に記載の発明は、【００３９】によれば、請求項１及び図１に記載された発明にさらに空気流出側角部に丸みを持たせた後に空気流出側外縁のエッジ部に面取りが施された面取り部を有する磁気ヘッドスライダである。
　刊行物の図９並びに請求項３・４に記載された発明の作用効果を検討すると、請求項３・４の作用・効果は、【００４１】の記載から「図９の構成のようにレールの浮上面の空気流出側角部に丸みをもたせ且つ面取りを施すと、耐衝撃性は一層向上する」というものであり、この「耐衝撃性」の技術的意味はこの記載だけでは不明であるが、請求項３に対応した作用・効果の記載である【００４０】には「面取り部２１ｄ、２２ｄ、２４ｄを形成すると、鋭角なエッジ部が磁気ディスクに衝突することがなくなり、耐衝撃性を高めることができる」という記載があり、磁気ヘッドのスライダのエッジが磁気ディスクに衝突しないということであることが理解され、【００４５】にもほぼ同様の記載があるから、【００４１】に記載される「耐衝撃性が一層向上する」という記載は、スライダの空気流出端側の角部に丸みを持たせることによりスライダの角が磁気ディスクに衝突することがより少なくなるという意味に理解できる。そして、刊行物記載の発明はこの作用・効果により空気流入側に傾斜面を持たせることで【００４４】に記載されるように浮上量の安定性が良好な磁気ヘッドスライダを構成でき、前述の【００４１】の記載によれば「丸みを持たせ且つ面取りを施すと、耐衝撃性は一層向上する」という記載の「一層向上」という表現からは、丸みと面取りのいずれか一方の構成でも効果が得られるが、一方の構成のみを採用するよりも両方を採用した方がより効果が得られるという意味に解釈できる。しかも、「丸みを持たせ」ることと「面取りを施す」とう形成手段に「持たす」・「施す」という区別した表現を用いていることからしても、いずれか一方のみの構成を採用しそれによる効果のみを期待することを妨げる阻害要因はないものと認められる。
　してみれば、刊行物の請求項１の発明においても、刊行物の第４項および第９図の発明のように、空気流出側角部に丸みを持たせた構成のみを採用し、刊行物第３項に記載されるようにレール２１，２２の磁気記録媒体との対向面の空気流出側外縁に面取りを施さずにまっすぐ延長させて平坦部とすること、すなわち、刊行物の請求項１に記載される発明の低浮上量でありながら浮上量の安定を得るために、空気流出側角部にのみ丸みを持たせることは、当業者が必要に応じて採用し得たところと認める。
（２）本件訂正発明２について
　本件訂正発明２は上述したように「【請求頃２】記録媒体の記録面と対向する空気ベアリング面を有し、前記空気ベアリング面は空気流入端近傍がテーパ面となっており空気流出端近傍が平坦面となっている磁気ヘッドであって、前記空気ベアリング面の空気流出端における前記平坦面の外周の２辺の交わる角が鈍角であり、更にこの鈍角部の一部が所定曲率半径をもって切り落とされていることにより、ヘッドのロールや反りによる浮上量低下を防止することを特徴とする磁気ヘッド。」である。
イ：対比
　本件訂正発明２と刊行物の請求項１及び図１記載の発明とを比較すると、一致点は上記訂正発明１と同じであるから、一致点については上記（１）の記載を援用する。
　相違点は、刊行物には、本件訂正発明２に記載される発明の「空気ベアリング面の空気流出端における前記平坦面の外周の２辺の交わる角が鈍角であり、更にこの鈍角部の一部が所定曲率半径をもって切り落とされている」の点が記載されていない点、さらにはこの構成の相違により本件訂正発明２は「ヘッドのロールや反りによる浮上量低下を防止する」という作用・効果を有することで構成が相違（以下、相違点２という）するものと認められる。
ロ：相違点２の検討
　上記（１）で、刊行物には、スライダの吸気流出側角部に丸みを持たせたり、空気流出側外縁のエッジ部に面取りを施すことが、請求項３・４及び第９図に記載されていることを指摘した。
  このような部材の凸部を削り落とすことで凸部が他の部材に当たることによる衝撃を回避したり、衝突の衝撃を軽減させることは、通常「面取り」（必要なら、マグローヒル科学技術用語大辞典　昭和６０年３月２５日　株式会社日刊工業新聞社刊　１６４９頁左欄「面取り」の項参照）と称され、この面取りには、単に直線で斜めに削り落とす（刊行物請求項３）ことや、角部全体を丸く削り落とす（刊行物請求項４）の他、これらの組み合わせとして直線で斜めに削り落とすことでできる鈍角部を丸めて鋭利な角部をなくすことも「面取り」の一手法として慣用される加工技術にすぎないので、刊行物の請求項１及び図１の発明においても、衝突を回避したり衝突時の衝撃を軽減するために「空気ベアリング面の空気流出端における前記平坦面の外周の２辺の交わる角が鈍角であり、更にこの鈍角部の一部が所定曲率半径をもって切り落とされている」ようにすることは、当業者が刊行物の記載から容易に想到し得たところにすぎないものと認める。
（３）本件訂正発明３について
本件訂正発明３は上述したように「【請求項３】請求項１または２記載の磁気ヘッドを搭載してなることを特徴とする磁気ディスク装置。」である。
　この記載は訂正請求項１又は訂正請求項２の磁気ヘッドを選択して搭載した磁気ディスク装置に関する発明であると認められる。そして、訂正請求項１又は訂正請求項２の磁気へッドは当然に磁気ディスクに搭載されるものであることは当業者において自明である。
　しかるに、訂正請求項１もしくは訂正請求項２の各訂正発明は刊行物から当業者が容易に想到し得たところであることは既に述べた。
　従って、訂正請求項１もしくは訂正請求項２の各磁気ヘッドが刊行物記載の発明から当業者が容易に想到し得るものである以上、それらの磁気ヘッドを磁気ディスク装置に採用することは当業者が容易に想到し得たものと認める。
３：まとめ
　以上のとおり、本件訂正明細書の請求項１〜３に係る各訂正発明は、上記刊行物に記載の発明に基づいて当業者が容易に発明をすることが出来たものであり、特許法２９条第２項の規定により特許を受けることが出来ないものである。
　
Ｄ：むすび
　したがって、本件訂正請求項１〜３に係る各訂正発明は、上記刊行物に記載された発明に基づいて当業者が容易に発明をすることが出来たものであるから、特許法第２９条第２項の規定に違反してされたものである。
　従って、本件訂正請求項１〜３に係る特許は、特許法第１１３条第１項第２号に該当するので、取り消すべきものと認める。
　よって、結論の通り決定する。
【異議決定日】
平成１３年６月２８日（２００１．６．２８）
【訂正の要旨】
１：訂正の要旨
（１）　特許請求の範囲の請求項１の記載を減縮を目的として
　「【請求項１】記録媒体の記録面と対向する空気ベアリング面を有
し、前記空気ベアリング面は空気流入端近傍がテーパ面となっており空気流出端近傍が平坦面となっている
平坦
（２）　特許請求の範囲の請求項２の記載を減縮を目的として
「【請求頃２】記録媒体の記録面と対向する空気ベアリング面を有
し、前記空気ベアリング面は空気流入端近傍がテーパ面となっており空気流出端近傍が平坦面となっている
平坦
（５４）【発明の名称】
磁気ヘッド及びそれを用いた磁気ディスク装置
（５７）【特許請求の範囲】
　【請求項１】　記録媒体の記録面と対向する空気ベアリング面を有
し、前記空気ベアリング面は空気流入端近傍がテーパ面となっており空気流出端近傍が平坦面となっている
平坦
　【請求項２】　記録媒体の記録面と対向する空気ベアリング面を有
し、前記空気ベアリング面は空気流入端近傍がテーパ面となっており空気流出端近傍が平坦面となっている
平坦
　【請求項３】　請求項１または２記載の磁気ヘッドを搭載してなることを特徴とする磁気ディスク装置。
【発明の詳細な説明】
　【０００１】
　【発明の属する技術分野】
　本発明は磁気ヘッド及びそれを用いた磁気ディスク装置に関し、特に記録媒体の記録面と対向する空気ベアリング面（以下、ＡＢＳと称す）を有する磁気ヘッド及びそれを用いた磁気ディスク装置に関するものである。
　【０００２】
　【従来の技術】
　近年、磁気ディスク装置は高密度化を図るために、磁気変換素子を媒体に近付ける必要がある磁気ヘッドの浮上量を低く設計する必要があるが、低すぎると媒体に接触しヘッドが媒体にクラッシュする問題が懸念される。よって、浮上型磁気ヘッドの浮上量は媒体近傍を一定高さで浮上させなければならない。
　【０００３】
　特開昭６３−２７６７６９号公報等に示される従来の磁気ヘッドは、図９のように、磁気ヘッドの媒体と対向する面の空気流入端側１０１にテーパ面１０２を有し、媒体と対向する面を砥石等で空気流入端から空気流出端まで削った一定幅の溝１０３があり、溝の側面１０４と磁気ヘッドの周囲とからなる２本のレールの面をＡＢＳ１０５とする磁気ヘッドである。この磁気ヘッドは溝１０３の側面１０４とＡＢＳ１０５とが交わる辺１０６とＡＢＳの空気流出端の辺１０７との交点の角ａは直角となっている。
　【０００４】
　この交点はＡＢＳ１０５と溝の側面１０４と磁気ヘッドの空気流出側の側面１０８とにより形成される三角錐の頂点になっている。また、同様に磁気ヘッド側面１０９とＡＢＳ１０５とが交わる辺１１０とＡＢＳの空気流出端の辺１０７との交点の角ｂは直角であり、この点もＡＢＳ１０５と磁気ヘッドの側面１０９と空気流出端の側面１０８とにより形成される三角錐の頂点になっている。
　【０００５】
　磁気ディスク装置は、図２に示すように、磁気ヘッドを固定したサスペンション１６をロータリアクチュエータ１４に取り付け、媒体１５の内周から外周にかけてシークし所定位置に記録再生する装置であり、その浮上姿勢を図１０（Ａ）に示すように、磁気ヘッドは媒体の回転によって周速Ｖで空気の層が磁気ディスクの空気流入端１０１から入り、ＡＢＳ１０５に磁気ディスクを浮上させる圧力を受け、サスペンション１６の圧力Ｐと釣り合って空気流出端１０８近傍にある磁気変換素子１１１が媒体１５と近付くように空気流入端１０１より空気流出端１０８が低くなる姿勢で浮上する。
　【０００６】
　更に、媒体の半径位置による周速が異なり、磁気変換素子の浮上量を一定にするためには、媒体の中心線と媒体の周速方向がなす角（以下、ＹＡＷ角と称す）の変化を利用して磁気変換素子１１１の媒体からの距離を一定に保つように制御されている。このとき媒体の空気流出端側１０８からの浮上姿勢は、図１０（Ｂ）に示すように、媒体と傾く浮上姿勢になり、最低浮上位置はＡＢＳの空気流出端１０７の片方の端の角ｂが最低浮上位置となり、磁気変換素子１１１より低くなるため、磁気変換素子１１１を媒体に近付けることができない。
　【０００７】
　また、磁気ヘッドは図１１（Ｃ）のように反りがあり、ロールがない場合でもＡＢＳの空気流出端１０７と溝の側面１０４とでなす角ａが最低浮上位置になるため、前述と同様の問題がある。
　【０００８】
　更に、この様な浮上姿勢でシークを行うと更に浮上量が低下し、ＡＢＳの空気流出端と磁気ヘッドの側面とＡＢＳとの三角錐の頂点の角は前述したように鋭角になっており、媒体との接触で媒体が傷ついて書込み再生ができなくなる問題がある。また、装置に衝撃を与えた場合も同様に傷を付けることになる。更に、高速シーク及び強い衝撃の場合は磁気ヘッドが媒体にクラッシュして装置が動かなくなることもある。
　【０００９】
　また、特開昭６３−１３６３７０号公報等に示される従来の磁気ヘッドは、図１１のように、磁気ヘッドの媒体と対向する面の空気流入端側にテーパ面２０１を有し、媒体と対向する面の溝２０２の幅が空気流入端２０３より空気流出端２０４が狭くなっている。従って、ＡＢＳ２０５は空気流入端の幅Ｃ１より空気流出端の幅Ｃ２が広くなり、溝の側面２０６とＡＢＳ２０５とが交わる辺２０７とＡＢＳの空気流出端の辺２０８との角Ｄは鋭角になり、媒体を傷つける危険が高い。
　【００１０】
　更に、特開平４−２７６３６７号公報等に示される従来の磁気ヘッドは、図１２（Ａ），（Ｂ）に示すように、媒体と対向する面にフォトリングラフ等でパターニングし、トリミング等でＡＢＳ３０１を削りだす磁気ヘッドもあるが、この磁気ヘッドの空気流出端の各角ｅ，ｆ，ｇ，ｈ，ｉ，ｊは直角または鋭角になっているため、前述した磁気ヘッドと同様の問題が生じている。
　【００１１】
　【発明が解決しようとする課題】
　従来の上述した磁気ヘッドにおいては、ＡＢＳの空気流出端の角のいずれかが磁気変換素子よりも大幅に浮上量が低下してしまうために、磁気変換素子を媒体近傍まで近付けることができないという問題がある。
　【００１２】
　また、ＡＢＳの空気流出端の両端の角は媒体からの浮上量が最も小さく、ＡＢＳの空気流出端の両端の角は鋭角な三角錐の頂点であり、よって高速シークや衝撃により浮上量が下がってしまうので、媒体と接触してクラッシュが発生するという問題もある。
　【００１３】
　本発明の目的は、ヘッド浮上量を低く設計することを可能として高密度記録を可能とした磁気ヘッド及び磁気ディスク装置を提供することである。
　【００１４】
　本発明の他の目的は、高速シークを可能として高速性及び衝撃に対する安全性を高め得る磁気ヘッド及び磁気ディスク装置を提供することである。
　【００１５】
　【００１６】
　【課題を解決するための手段】
　本発明によれば、記録媒体の記録面と対向する空気ベアリング面を有
し、前記空気ベアリング面は空気流入端近傍がテーパ面となっており空気流出端近傍が平坦面となっている
平坦
　【００１７】
　更に、本発明によれば、記録媒体の記録面と対向する空気ベアリング面を有
し、前記空気ベアリング面は空気流入端近傍がテーパ面となっており空気流出端近傍が平坦面となっている
平坦
　【００１８】
　更にはまた、本発明によれば、これ等の磁気ヘッドを搭載してなることを特徴とする磁気ディスク装置が得られる。
　【００１９】
　本発明の作用を述べる。ＡＢＳの空気流出端の角（カド）部を直線または曲線（アール状）で切り落とした形状として、当該角部を鋭角ではなく鈍角状にすることにより、最低浮上位置となる当該角部をより媒体へ近付けることができ、また高速シークや衝撃により浮上量が低下しても、媒体と当該角部との接触がソフトタッチとなり、クラッシュを防止できる。
　【００２０】
　【発明の実施の形態】
　以下に図面を用いて本発明の一実施例について詳述する。
　【００２１】
　図１は本発明の一実施例の磁気ヘッドの斜視図を示す。磁気ヘッドの媒体記録面と対向する面の空気流入端１にテーパ面２を有し、媒体と対向する面を砥石等で空気流入端１から空気流出端３まで削った溝の側面４とＡＢＳ９とが交わる辺５と、ＡＢＳの空気流出端３の辺６との交わる角を砥石で削り落として面取りを行い、ＡＢＳの空気流出端３の片側の角７を鈍角にする。
　【００２２】
　また、同様に磁気ヘッドの側面８とＡＢＳ９とが交わる辺１０と、ＡＢＳの空気流出端３の辺６と交わる角を面取りして、ＡＢＳの空気流出端３の他方の角１２の鈍角が得られる。
　【００２３】
　この様にして制作された磁気ヘッドを、図２に示す磁気ディスク装置に搭載する。図１に示す磁気ヘッド１３をサスペンション１６に取り付け、サスペンション１６をロータリアクチュエータ１４に取り付けて媒体１５の所定半径位置にシークできる装置である。図２に示す磁気ディスク装置の媒体１５を回転させることによって、図１の磁気ヘッドは図３（Ａ）に示すようにロールしながら浮上するので、従来の磁気ディスクの最低浮上位置ｂに比べ、本発明の最低浮上量ｃを高くすることができる。
　【００２４】
　また、ロールさせないで浮上させる場合のヘッドについて、図３（Ｂ）に示すように、磁気ヘッドは２０ｎｍ程度の反りが発生することがあり、この場合でも、従来ヘッドの最低浮上位置ａよりも本発明の最低浮上位置ｄを高くすることができる。
　【００２５】
　従って、本発明の図１に示す磁気ヘッドは磁気変換素子１７をより媒体に近付けることが可能になり、磁気ディスク装置の高密度化が図れる。更に、本発明の図１に示す磁気ヘッドは最低浮上位置の角１２及び７を鈍角にすることによって、高速シーク及び衝撃による浮上量低下で媒体１５と接触しても、媒体を傷つけることがなく書込み、再生ができなくなる問題はない。すなわち、本発明の磁気ディスク装置は高速シーク可能になりシーク時間を短縮できる効果もあり、更に耐衝撃性が向上できる効果がある。
　【００２６】
　本発明の第２の実施例を図４に示す。磁気ヘッドは媒体と対向する面にフォトリソグラフでパターニングし、ミリングでＡＢＳ２１を削り出した。この時のＡＢＳの空気流出端２２の両端２３の角を図１に示す磁気ヘッド同様に鈍角にすることによって、前述した図１に示す磁気ヘッドと同様の効果がある。
　【００２７】
　また、図５に示す磁気変換素子が磁気ヘッドの空気流出端のセンターにある場合も、同様に、ＡＢＳの空気流出端３２の両端の角３３を鈍角にすることで同様の効果を有する。更に、図６に示す磁気ヘッドはＡＢＳ４１の空気流出端の両端４２をアール４３にしても同様の効果を有する。
　【００２８】
　また、図７に示す磁気ヘッドは片側だけにロールするようにＡＢＳ５１を設計し、最低浮上になる角だけを落としてアール５３としても同様の効果がある。更に、図８に示すようにＡＢＳ６１の空気流出端６２の両端を直線６３で落とした後、できた鈍角をアール６４で角を落とすことによって、更に高速シーク耐久性，耐衝撃性が向上する。
　【００２９】
　【発明の効果】
　本発明によれば、磁気ヘッドの最低浮上位置となるＡＢＳの空気流出端の両側の角を落として鈍角とすることにより、浮上量をより小に設計できるという効果がある。
　【００３０】
　また、本発明によれば、磁気ヘッドの最低浮上位置となるＡＢＳ空気流出端の両端の角をある曲率半径（Ｒ）で切り落とす（Ｒを付ける）ことにより、高速シーク耐久性や耐衝撃性を向上できるという効果がある。
【図面の簡単な説明】
　【図１】
　本発明の第１の実施例を示す磁気ヘッドの斜視図である。
　【図２】
　本発明の磁気ディスク装置の概略図である。
　【図３】
　（Ａ）は本発明の第１の実施例の磁気ヘッドの浮上状態での空気流出側から見た側面図、（Ｂ）は本発明の第１の実施例の反りを拡大表現した時の浮上状態での空気流出側から見た側面図である。
　【図４】
　本発明の第２の実施例の媒体と対向する面の正面図である。
　【図５】
　本発明の第３の実施例の媒体と対向する面の正面図である。
　【図６】
　本発明の第４の実施例の媒体と対向する面の正面図である。
　【図７】
　本発明の第５の実施例の媒体と対向する面の正面図である。
　【図８】
　本発明の第６の実施例の媒体と対向する面の拡大正面図である。
　【図９】
　従来の磁気ヘッドを示す斜視図である。
　【図１０】
　（Ａ）は従来の磁気ヘッドの浮上姿勢を示す断面図、（Ｂ）は従来の磁気ヘッドの浮上状態での空気流出側から見た側面図、（Ｃ）は従来の磁気ヘッドの反りを拡大表現した時の浮上状態での空気流出側から見た側面図である。
　【図１１】
　従来ヘッドの斜視図である。
　【図１２】
　従来ヘッドの正面図を夫々示す図である。
　【符号の説明】
　１　　空気流入端
　２　　テーパ面
　３　　空気流出端
　４　　溝の側面
　５　　溝の側面とＡＢＳの交わる辺
　６　　ＡＢＳの空気流出端
　７　　ＡＢＳの空気流出端の端の角
　８　　磁気ヘッドの側面
　９　　ＡＢＳ
　１０　　ＡＢＳと磁気ヘッドの側面と交わる辺
　１２　　ＡＢＳの空気流出端の端の角
　１３　　磁気ヘッド
　１４　　ロータリアクチュエータ
　１５　　媒体
　１６　　サスペンション
　１７　　磁気変換素子